(57)【要約】【課題】本発明は、クローゼット内の収納スペースを自在に変化させることができるクローゼットシステムを提供する。【解決手段】本発明のクローゼットシステム１は、棚板２と、前記棚板２の下面側に着脱可能に設けてある棒材３と、前記棒材３にスライド可能に取り付け、台座部４２を設けてある少なくとも２枚のパネル材４と、対向するパネル材４の台座部４２に載せる収納具５と、を備えたことを特徴とする。  本発明のクローゼットシステム１は、パネル材４を適宜間隔に配し、その間隔に合う板材、引き出しなどの収納具を台座部４２に載せることにより、クローゼット内の収納スペースを自在に変化させることができる。【選択図】図２
2010017234.tif 000002
【特許請求の範囲】
【請求項１】
棚板と、前記棚板の下面側に着脱可能に設けてある棒材と、前記棒材にスライド可能に取り付け、台座部を設けてある少なくとも２枚のパネル材と、対向するパネル材の台座部に載せる収納具と、を備えたクローゼットシステム。
【請求項２】
前記パネル材は、矩形状の枠体内に細長状の前記台座部を横方向に架設した構成としてある請求項１に記載のクローゼットシステム。
【請求項３】
前記棚板に棒材固定部を備え、棒材固定部に棒材を取り付けできる棒材取付具を着脱可能としてあり、
棒材固定部は、前記棚板に設けた棒材固定孔と、棒材固定孔に架橋するようにスライド可能なスライド部材と、を備えた構成とし、
棒材取付具は、前記棒材の端部に挿し込む突軸と、棒材固定孔の縁部に挟み込む挟み込み部と、スライド部材を挿し通す結合孔と、を備えた構成としてある請求項１又は２に記載のクローゼットシステム。
【請求項４】
前記棚板の面上にパネル固定孔を適宜間隔で設け、前記パネル材の上面に穴部を設け、適宜位置のパネル固定孔及び前記穴部に嵌め込むパネル材固定具を備えた構成としてある請求項１〜３のいずれかに記載のクローゼットシステム。
【請求項５】
壁部、床部のいずれか又は両方に穴部を適宜位置に設け、前記パネル材に、スライドして適宜位置の前記穴部に嵌め込み可能なパネル材固定部を設けてある請求項１〜４のいずれかに記載のクローゼットシステム。
【請求項６】
木材から形成されてなる請求項１〜５のいずれかに記載のクローゼットシステム。
【発明の詳細な説明】
【技術分野】
【０００１】
本発明は、クローゼット内の収納スペースを自在に変化させることのできるクローゼットシステムに関する。
【背景技術】
【０００２】
クローゼット内には、衣服を掛けるバーや収納物を載せる棚などが備え付けられていることがある。また、引き出しなどを収納しておき、衣類などを整理しておくこともある。
このようなクローゼットに関連した発明としては、クローゼット内に取付けやすくした棚（下記特許文献１参照）や、設置空間の誤差や各種形状に対応できるようにした収納クローゼットシステム（下記特許文献２参照）などがある。
【０００３】
【特許文献１】特開２００４−２４２７８９号公報
【特許文献２】特開２００３−１１６６４４号公報
【発明の開示】
【発明が解決しようとする課題】
【０００４】
衣替えなどの季節になると夏物と冬物の衣類を交換することになり、当然、クローゼット内の収納の仕方も変わってくる。しかし、従来のクローゼットでは、空間内の棚や引き出しの位置を変えためには、ボルトの取り外しや収納器具の持ち運びなどを必要とし、収納の仕方を変更することは容易ではなかった。
【０００５】
そこで、本発明の目的は、クローゼット内の収納スペースを自在に変化させることができるクローゼットシステムを提供することにある。
【課題を解決するための手段】
【０００６】
本発明のクローゼットシステムは、棚板と、前記棚板の下面側に着脱可能に設けてある棒材と、前記棒材にスライド可能に取り付け、台座部を設けてある少なくとも２枚のパネル材と、対向するパネル材の台座部に載せる収納具と、を備えたことを特徴とするものである。
【０００７】
パネル材を適宜間隔にスライドさせ、収納具として棚板や引き出しなどを台座部に載せることにより、クローゼット内に棚や引き出しを設定することができる。また、棒材は、棚板に着脱可能に設けてあるので、取り外すこともでき、クローゼット内に用途に合わせた収納空間を容易に作り出すことができる。
【０００８】
前記パネル材は、矩形状の枠体内に細長状の前記台座部を横方向に架設した構成とすることができる。
【０００９】
また、前記クローゼットシステムにおいて、前記棚板に棒材固定部を設け、棒材固定部に棒材を取り付けできる棒材取付具を着脱可能としてあり、棒材固定部は、面上に設けた棒材固定孔と、棒材固定孔に架橋するようにスライド可能なスライド部材とを備えた構成とし、前記棒材取付具は、前記棒材の端部に挿し込む突軸と、棒材固定孔の縁部に挟み込む挟み込み部と、スライド部材を挿し通す結合孔とを備えた構成とすることができる。
【００１０】
棒材取付具の挟み込み部を、棒材固定孔に挟み込み、スライド部材をスライドさせて結合孔に挿し通すことにより、棒材を棚板に取り付けるができ、また、逆の手順により取り外すことができる。
【００１１】
前記クローゼットシステムにおいて、前記棚板の面上にパネル固定孔を適宜間隔で設け、前記パネル材の上面に穴部を設け、適宜位置のパネル固定孔及び前記穴部に嵌め込むパネル材固定具を備えた構成とすることができる。
【００１２】
パネル材を適宜位置のパネル固定孔の下方に位置させ、該パネル固定孔及びパネル材上面の穴部にパネル材固定具を嵌め込むことにより、パネル材を固定することができる。
【００１３】
さらに、前記クローゼットシステムにおいて、壁部、床部のいずれか又は両方に穴部を適宜位置に設け、前記パネル材にスライドして適宜位置の前記穴部に嵌め込み可能なパネル材固定部を設けてある構成とすることができる。
【００１４】
パネル材を壁部又は床部の適宜位置の穴部に合わせ、パネル材固定部を穴部にスライドさせて嵌め込むことにより、パネル材を固定することができる。
【００１５】
前記クローゼットシステムは、釘、ネジなどを用いずに木材から形成することができるものである。
【発明を実施するための最良の形態】
【００１６】
以下、本発明の好適な一実施形態を、図面を用いて説明する。
【００１７】
本発明の一実施形態のクローゼットシステム１は、図１又は２に示すように、棚板２と、その下面側に設けてある棒材３と、棒材３にスライド可能に取付けてあるパネル材４と、パネル材４間に配した収納具５とを主な構成として備えている。
クローゼットシステム１は、桐などの木材から形成することができ、釘やねじなどを用いずに組み立てることができる。
【００１８】
棚板２は、図１又は２に示すように、長尺状の矩形板材としてあり、クローゼット内の中間乃至上方付近に配し、上面に収納物を載せられるようにしてある。棚板２の上面には、図２又は３に示すように、長手方向に伸びる溝部２１が並行に形成してあり、溝部２１の底面には適宜間隔で円形状のパネル固定孔２２が設けてある。また、棚板２の両端部付近には棒材固定部２３が設けてある。
棒材固定部２３は、図４に示すように、矩形状の棒材固定孔２４の棚板内方側一縁部に被挟み込み部２５を備え、被挟み込み部２５の上面側にスライド部材２６を備えてある。
被挟み込み部２５は、図４又は５に示すように、棚板２の表裏面を上下から略矩形状に凹ませて形成してあり、上面側に棚板長手方向に沿う断面矩形状の溝２５ａと、その溝２５ａに連なる横穴状の納め部２５ｂとを形成してあり、この溝２５ａ及び納め部２５ｂにスライド部材２６がスライド可能に納まるように形成してある。
【００１９】
スライド部材２６は、図４又は５に示すように、中央付近に矩形状の固定孔２６ａを設けた矩形板状としてあり、スライドさせた際に、対向する縁部に設けてある横穴状の凹部２４ａに先端側が納まり、棒材固定孔２４に架設できるようにしてある。固定孔２６ａには、スライド部材２６の厚みよりも若干長い固定ピン２６ｂを嵌め込むことができ、スライド部材２６がスライドしないように固定することができる。
棚板２の中央付近には、図６に示すように、矩形状に凹ませ、その底面にスリット状に開口させた挿入孔２３ａが形成してある。
棚板２の両側端面及び後端面には、図４に示すように、周方向に凹溝２７が形成してあり、クローゼット内の壁面に設けた凸部（図示せず）に嵌め合わせてクローゼット内に固定できるようにしてある。
また、図５に示すように、矩形板状の被覆材２８が備えてあり、棒材固定孔２４を塞ぐことができる。
【００２０】
棒材３は、長尺のパイプ状に形成してあり、両端部を棒材固定具３１に取り付け、中間付近を棒材支持具３８に取付けて棚板２の下面側に着脱可能に設けてあり、ハンガーなどを掛けられるとともに、パネル材４をスライド可能に取り付けることができる。
棒材固定具３１は、図４又は５に示すように、棒材固定孔２４と略同幅にした矩形板状の基板部３２の一面側に円柱状の軸部３３を突出させて棒材３を嵌め込めるようにしてある。また、基板部３２の一面側の上方に、上突出部３４ａ及び下突出部３４ｂを並行に突出させて挟み込み部３４を形成してあり、被挟み込み部２５が挟み込めるようにしてある。さらに、上突出部３４ａと下突出部３４ｂとの間に、矩形状の結合孔３５が形成してあり、ここにスライド部材２６が挿し通せるようにしてある。
棒材支持具３６は、図６に示すように、断面Ｔ状に形成した板材としてあり、下方に突出した突出面３６ａに円形状の孔部３７を形成してあり、突出面３６ａを挿入孔２３ａに挿入して棚板２の下面側に突出させ、下面側に露出した孔部３７に棒材３を挿し通せるようにしてある。
【００２１】
パネル材４は、図７に示すように、矩形状の枠体４１内に細長状の矩形板材を横方向に架設して台座部４２を形成してある。
枠体４１は、上方に、棒材３をスライド可能に挿し通せる円形状の孔部４３が設けてあり、上面に、クローゼット内に組み付けた際、パネル固定孔２２と合わさる位置に円形状の穴部４４が形成してあり、パネル材固定具４５を棚板２のパネル固定孔２２及び穴部４４に嵌め込み、パネル材４を固定できるようにしてある。
台座部４２は、枠体４１の両面側から若干側方に突出するように設けてあり、対向するパネル材４の台座部４２とで収納具５が載せ置きできるようにしてある。
【００２２】
枠体４１の下方には、パネル材４を床面及び壁面に固定するためのパネル材固定部４６が設けてある。
パネル材固定部４６は、図８（ａ），（ｂ）に示すように、嵌め込み軸４７ａを備えた固定軸部４７を、枠体４１の側面及び下面に設けた矩形状の穴部４８内にスライド可能に納めてある。使用する際は、枠体４１の平面側に設けた長円状の窓部４９から露出した挿し込み孔４７ｂにレバー部６を挿し込み、側方又は下方に固定軸部４７をスライドさせることにより、嵌め込み軸４５ａが側方又は下方に突出して壁面又は床面に形成した穴部６１に嵌まり込み、パネル材４を固定することができる。
【００２３】
収納具５は、図７に示すように、適宜幅の矩形板材であり、対向するパネル４間に配し、台座部４２に載せて棚を形成できるようにしてある。
【００２４】
以下、クローゼットシステム１の組み立て方法を示す。
棚板２を、端面の凹溝２７をクローゼットの壁面の適宜高さに設けた凸部に嵌め合わせて固定する。
棚板２の片方の棒材固定孔２４に、図９（ａ）に示すように、上方から棒材固定具３１を挿入し、挟み込み部３４を被挟み込み部２５に挟み込ませながら、スライド部材２６の先端を結合孔３５に挿し込み、図９（ｂ）に示す状態にする。結合孔３７から突出したスライド部材２６の先端側を引き、スライド部材２６をスライドさせ、凹部２４ａに嵌め込み、図９（ｃ）に示すように、スライド部材２６を棒材固定孔２４に架設する。そして、スライド部材２６の固定孔２６ａに固定ピン２６ｂを上方から嵌め込み、スライド部材２６がスライドしないように固定し、さらに、棒材固定孔２４上に被覆材２８を上方から嵌め込み、開口を塞ぐ。
【００２５】
次に、棒材３を、２枚のパネル材４の孔部４２に挿し込み、さらに、挿入孔２３ａに挿し込ませた棒材支持具３６の孔部３７に挿し通し、その棒材３の一端部を、棚板２に取り付けた部材固定具３１の軸部３３に嵌め込む。
そして、他方の棒材固定孔２４にも、上記と同様に棒材固定具３を取り付けるとともに、その棒材固定具３の軸部３３に棒材３の他端部を嵌め込む。
２枚のパネル材４を、パネル固定孔２２とパネル材４の穴部４４とが合うように適宜位置にスライドさせ、孔２２と穴部４４とにパネル材固定具４５を嵌め込み、パネル材４を棚板２に固定する。また、パネル材固定部４６をスライドさせて床面及び壁面の穴部６１に嵌め込み、パネル材４を壁面及び床面に固定する。
固定したパネル材４の台座部４２上に収納具５を載せ置き、棚を形成して、クローゼットシステム１を組み立てることができる。
【００２６】
クローゼットシステム１は、パネル材４を適宜間隔に調整できるので、その間隔に合う収納具５を予め用意しておけば、適宜形状のクローゼットとすることができ、必要に応じてクローゼット内の空間を変更することができる。
また、本実施形態では、収納具を板材としてあるが、箱状などにすることにより、パネル材４を用いて引き出しを形成することもできる。
さらに、棒材３は棚板２から、着脱可能としてあるので、棒材３及びパネル材４を設けない空間を形成することもできる。
【００２７】
このように本発明のクローゼットシステムは、クローゼット内の収納スペースを自在に変化させることができるものである。
【００２８】
上記実施形態の構成態様は、本発明を限定するものとして挙げたものではなく、技術目的を共通にするかぎり変更は可能であり、本発明はそのような変更を含むものである。
【図面の簡単な説明】
【００２９】
【図１】本発明の一実施形態のクローゼットシステムを用いたクローゼット内の正面図である。
【図２】図１に示したクローゼット内の斜視図である。
【図３】図１に示したクローゼットシステムで用いる棚板の上面図である。
【図４】図３に示した棚板の棒材固定孔付近の拡大斜視図である。
【図５】図３に示した棚板のＡ−Ａ断面図である。
【図６】図３に示した棚板の中間部付近を示した拡大斜視図である。
【図７】図１に示したクローゼットシステムで用いるパネル材及び収納具の斜視図である。
【図８】図７に示したパネル材を示し、（ａ）は下端部付近の拡大斜視図、（ｂ）は下面側から俯瞰した拡大斜視図である。
【図９】図１に示したクローゼットシステムで用いる棒材固定具の取付手順を示した断面図である。
【符号の説明】
【００３０】
１クローゼットシステム  ２棚板  ２１溝部  ２２パネル材固定孔  ２３棒材固定部  ２３ａ挿入孔  ２４棒材固定孔  ２４ａ凹部  ２５被挟み込み部  ２６  スライド部材  ２６ａ固定孔  ２６ｂ固定ピン  ２７凹溝  ２８被覆材  ３棒材  ３１棒材固定具  ３２基板部  ３３軸部  ３４挟み込み部  ３４ａ上突出部  ３４ｂ下突出部  ３５結合孔  ３６棒材支持具  ３６ａ突出面  ３７孔部  ４パネル材  ４１枠体  ４２台座部  ４３孔部  ４４穴部  ４５パネル材固定具  ４６パネル材固定部  ４７固定軸部  ４７ａ嵌め込み軸  ４７ｂ挿し込み孔  ４８穴部  ４９窓部  ５収納具  ６レバー部  ６１穴部
【図１】
2010017234.tif 000003
【図２】
2010017234.tif 000004
【図３】
2010017234.tif 000005
【図４】
2010017234.tif 000006
【図５】
2010017234.tif 000007
【図６】
2010017234.tif 000008
【図７】
2010017234.tif 000009
【図８】
2010017234.tif 000010
【図９】
2010017234.tif 000011